(57)【要約】      （修正有）【課題】収納部のデットスペースを有効活用できかつ取り出し易い容器を提供する。【解決手段】底壁部１３と底壁部１３の周縁から立ち上がる周壁部１４とを有し、上部に開口部Ｓが区画、形成された容器本体１１と、開口部Ｓを覆う蓋体１２と、を備える容器であって、容器本体１１および蓋体１２の少なくとも一方は、揺動自在に一体連結されるとともに引き起こしにより容器の吊り下げを可能とする吊下げ部２３を有する。【選択図】図２
2017081634.tif 000002
【特許請求の範囲】
【請求項１】
底壁部と該底壁部の周縁から立ち上がる周壁部とを有し、上部に開口部が区画、形成された容器本体と、前記開口部を覆う蓋体と、を備える容器であって、
前記容器本体および前記蓋体の少なくとも一方に、揺動自在に一体連結されるとともに引き起こしにより容器の吊り下げを可能とする吊下げ部を設けたことを特徴とする容器。
【請求項２】
前記吊下げ部はその傾倒姿勢にて容器本体または蓋体の外面に対して面一である、請求項１に記載の容器。
【請求項３】
前記吊下げ部は、前記蓋体に設けられており、該吊下げ部はその引き起こし姿勢にて蓋体の自立を可能とする剛性を有する、請求項１または２に記載の容器。
【請求項４】
前記吊下げ部の傾倒姿勢にて該吊下げ部に係合し、該姿勢を保持する係合部を有する、請求項１〜３のいずれか一項に記載の容器。
【請求項５】
前記容器本体および前記蓋体の少なくとも一方は外面にインモールドラベルが設けられており、前記吊下げ部は該インモールドラベルの一部によって形成されている、請求項１〜４のいずれか一項に記載の容器。
【請求項６】
前記吊下げ部は、前記容器本体または前記蓋体を構成する壁部の一部によって形成されており、
前記容器本体または前記蓋体の内面に被着され、前記吊下げ部の形成に伴い形成される壁部の開口をシールするインモールドラベルを有する、請求項１〜５のいずれか一項に記載の容器。
【請求項７】
前記インモールドラベルは、前記吊下げ部に対応する部分を除く周縁部分が前記容器本体または前記蓋体の内面に接着されている、請求項６に記載の容器。
【発明の詳細な説明】
【技術分野】
【０００１】
本発明は、底壁部と該底壁部の周縁から立ち上がる周壁部とを有し、上部に開口部が区画、形成された容器本体と、前記開口部を覆う蓋体と、を備える容器に関する。
【背景技術】
【０００２】
この種の容器としては特許文献１に記載されたものがあり、バターやマーガリン、クリームチーズ等の食品、あるいはウエットティシュ、洗剤等を入れる容器として広く使用されている。
【先行技術文献】
【特許文献】
【０００３】
【特許文献１】特開２００３−２５２３５８号公報
【発明の概要】
【発明が解決しようとする課題】
【０００４】
例えば、バターやマーガリン、クリームチーズ等の食品は冷蔵庫内で保存する必要がある。冷蔵庫内には通常、庫内空間を複数段に仕切るトレイや引出しケース等が設けられ、異なる大きさのものを収容できるようになっている。しかしながら、上記容器の場合、底面を下にして載置する収納方法に限られるため整理整頓には工夫が必要となり、また、容器の上に別のものを積み重ねて収納した場合には当該容器を取り出すのが煩雑であり時間も要する。また、このような問題は食品用の容器に限ったことではなく、限られたスペースに効率よくかつ取り出し易く収納するのは容易なことではない。
【０００５】
それゆえ、本発明は収納部のデットスペースを有効活用できかつ取り出し易い容器を提供することを目的とする。
【課題を解決するための手段】
【０００６】
本発明は、上記課題を解決するためになされたものであり、本発明の容器は、底壁部と該底壁部の周縁から立ち上がる周壁部とを有し、上部に開口部が区画、形成された容器本体と、前記開口部を覆う蓋体と、を備える容器であって、前記容器本体および前記蓋体の少なくとも一方に、揺動自在に一体連結されるとともに引き起こしにより容器の吊り下げを可能とする吊下げ部を設けたことを特徴とするものである。
【０００７】
なお、本発明の容器にあっては、前記吊下げ部はその傾倒姿勢にて容器本体または蓋体の外面に対して面一であることが好ましい。
【０００８】
さらに、本発明の容器にあっては、前記吊下げ部は、前記蓋体に設けられており、該吊下げ部はその引き起こし姿勢にて蓋体の自立を可能とする剛性を有することが好ましい。
【０００９】
さらに、本発明の容器にあっては、前記吊下げ部の傾倒姿勢にて該吊下げ部に係合し、該姿勢を保持する係合部を有することが好ましい。
【００１０】
さらに、本発明の容器にあっては、前記容器本体および前記蓋体の少なくとも一方は外面にインモールドラベルが設けられており、前記吊下げ部は該インモールドラベルの一部によって形成されていることが好ましい。
【００１１】
さらに、本発明の容器にあっては、前記吊下げ部は、前記容器本体または前記蓋体を構成する壁部の一部によって形成されており、当該容器は、前記容器本体または前記蓋体の内面に被着され、前記吊下げ部の形成に伴い形成される壁部の開口をシールするインモールドラベルを有することが好ましい。
【００１２】
加えて、本発明の容器にあっては、前記インモールドラベルは、前記吊下げ部に対応する部分を除く周縁部分が前記容器本体または前記蓋体の内面に接着されていることが好ましい。
【発明の効果】
【００１３】
本発明によれば、容器本体および蓋体の少なくとも一方に、引き起こし可能な吊下げ部を設けたことにより、この吊下げ部を冷蔵庫や壁等に設けられたフック等に引っ掛けて容器を吊り下げ状態で収納することができる。したがって、冷蔵庫等の収納部のデットスペースを有効に活用することができるとともに、容器１０の取り出しも楽である。
【図面の簡単な説明】
【００１４】
【図１】本発明に従う一実施形態の容器を示す斜視図である。
【図２】図１に示す容器において、吊下げ部を引き上げるとともに蓋体を取り外した様子を示す斜視図である。
【図３】図１および図２に示す容器において、吊下げ部をスタンドとして利用し蓋体を自立させた様子を示す断面図である。
【図４】本発明に従う他の実施形態の容器を示す斜視図である。
【図５】図４に示す容器において、吊下げ部をスタンドとして利用し蓋体を自立させた様子を示す断面図である。
【図６】本発明に従うさらに他の実施形態の容器を示し、（ａ）は斜視図、（ｂ）は図６（ａ）中のＡ−Ａ線に沿う断面図である。
【図７】本発明に従うさらに他の実施形態の容器を示し、（ａ）は斜視図、（ｂ）は図７（ａ）中のＢ−Ｂ線に沿う断面図である。
【図８】図７に示した容器において、蓋体を裏面（内面）側から示した斜視図である。
【図９】本発明に従うさらに他の実施形態の容器を示す斜視図である。
【図１０】本発明に従うさらに他の実施形態の容器を示す斜視図である。
【発明を実施するための形態】
【００１５】
以下、本発明に係る実施の形態を図面に基づき詳細に説明する。ここで、図１は、本発明に従う一実施形態の容器を示す斜視図であり、図２は図１に示す容器において、吊下げ部を引き上げるとともに蓋体を取り外した様子を示す斜視図であり、図３は図１および図２に示す容器において、吊下げ部をスタンドとして蓋体を自立させた様子を示す断面図である。
【００１６】
本実施形態の容器１０は、図１に示すように、偏平箱型の容器本体１１と、この容器本体に被さる蓋体１２とを備えており、これらの各構成部材には、ポリプロピレン樹脂やポリエチレン樹脂、ポリスチレン樹脂、ポリエチレンテレフタレート等の熱可塑性合樹脂が用いられ、射出成型等により成形される。この容器１０では、内容物として、例えばバターやマーガリン、クリームチーズ等のペースト体（半固形物）や粉状体、粒状体、液状体を収容する。
【００１７】
容器本体１１は、図２に示すように、底壁部１３と該底壁部１３の周縁から立ち上がる周壁部１４とを有し、内側に内容物の収容空間Ｍを区画、形成し、上面に広口の開口部Ｓを有する。本例では、周壁部１４は底壁部１３に沿う断面形状が角の丸い略矩形または略楕円形であり、容器本体１１上面の開口部Ｓも同様に角の丸い略矩形または略楕円形であるが、容器本体１１の形状はこれに限定されず、矩形、円形または多角形であってもよい。
【００１８】
周壁部１４の上部外面には全周に亘ってフランジ状の鍔部１６が形成されている。鍔部１６の上面には蓋体１２が嵌合される嵌合壁１７が上方に突設されている。嵌合壁１７外面には全周に亘ってまたは間欠的に嵌合リブ１９が形成されている。なお、嵌合壁１７を省略し、蓋体１２を鍔部１６の外縁に直接嵌合させるようにしてもよい。
【００１９】
蓋体１２は容器本体１１の開口部Ｓを覆う天板２１と該天板２１の周縁から下方に延びる垂下壁２２とを有している。垂下壁２２の内面には容器本体１１の嵌合壁１７外面の嵌合リブ１９に嵌合して蓋体１２の閉塞状態を保持する嵌合リブ（図示省略）が全周に亘ってまたは間欠的に形成されている。
【００２０】
蓋体１２の一方の短辺側には、天板２１上面の周縁手前から垂下壁２２に跨るように、蓋体１２の略半分程の厚みの小片状の吊下げ部２３が設けられており、この吊下げ部２３はヒンジ２４を介して揺動（傾倒および引き起こし）可能に蓋体１２に片持ち支持されている。吊下げ部２３は、本例では中央に吊下げ用の孔２３ａが形成された輪状の形態であるが、これに限らずフック状のものでもよい。なお、吊下げ部２３は、容器本体１１に設けてもよく、あるいは蓋体１２および容器本体１１の両方に設けてもよい。
【００２１】
蓋体１２の天板２１上面および垂下壁２２外面の、吊下げ部２３に対応する領域は局所的に減肉され、吊下げ部２３の傾倒姿勢にて該吊下げ部２３を収める凹部２５が形成されている。凹部２５は、図１に示すように吊下げ部２３を収めた状態にて吊下げ部２３の上面が天板２２上面と面一となる深さとするのが好ましい。また、凹部２５中央には、図２に示すように、吊下げ部２３の傾倒姿勢にて吊下げ用の孔２３ａに嵌まり込み当該傾倒姿勢を保持する、係合部としての嵌合凸部２６が突設されている。これらの吊下げ部２３、凹部２５および嵌合凸部２６は蓋体１２の射出成型と同時に成形することができる。
【００２２】
本実施形態の容器１０によれば、容器本体１１には上述のようなバターやマーガリン等の内容物を入れることができ、容器本体１１の開口部Ｓに蓋体１２を被せて閉蓋すると蓋体１２の垂下壁２２が容器本体１１の嵌合壁１７に嵌合され、容器１０は密閉状態は保持される。容器１０を冷蔵庫等に収納する場合、吊下げ部２３が凹部２５内に収められたままにすることで、容器１０の上にさらに別のものを置くこともできるが、図２に示すように、吊下げ部２３を引き起こすことで、冷蔵庫の側壁等に設けられたフック等に吊下げ部２３を引っ掛けて容器１０を吊り下げることができ、冷蔵庫等の収納部のデットスペースを有効に活用することができるとともに、容器１０の取り出しも楽である。
【００２３】
また、蓋体１２を容器本体１１から取り外す際には、吊下げ部２３をそのまま摘みとして利用することができ、従来、滑り易く難しかった蓋体の取り外し作業を、指掛かりとなる吊下げ部（摘み）２３によって容易に行うことができる。また、吊下げ部２３を蓋体１２の射出成型時に一緒に成形することで、吊下げ部２３に十分な厚み、つまり剛性を付与することができるので、図３に示すように、引き起こされた吊下げ部２３を蓋体１２を自立させるスタンドとして用いることができ、蓋体１２の下面に内容物が付着している場合でもテーブル等を汚す心配がない。
【００２４】
次いで、本発明に従う他の実施形態の容器について図４および図５を参照して説明する。なお、容器本体および蓋体の基本的な構造は先の実施形態のものと同じであるため、同一の符号を付し詳細な説明は省略する。
【００２５】
図４に示すように、本実施形態の容器３０では、蓋体１２の天板２１に外周縁に沿う周方向スリット３１が略半周に亘って形成されており、蓋体１２の垂下壁２２の一部（図４において手前側の略半周部分）が天板２１から分離されている。また、垂下壁２２の、周方向スリット３１の両終端位置には縦スリット３２が形成されており、垂下壁２２の上記一部（略半周部分）は垂下壁２２から分離されている。垂下壁２２の分離された部分は、周方向スリット３１と縦スリット３２の間の部分に形成されたヒンジ３５、３６を介して揺動可能に蓋体１２に連結、支持されて、吊下げ部３３を構成する。
【００２６】
吊下げ部３３は、その傾倒姿勢では容器本体１１の嵌合壁１７に嵌合され、この状態において吊下げ部３３の上辺部３３ａは蓋体１２の天板２１上面と面一となる。吊下げ部３３の前面中央には吊下げ部３３を引き起こす際の指掛かりとなる凹部３７が形成されている。
【００２７】
本実施形態の容器３０によれば、容器３０を冷蔵庫等に収納する場合、吊下げ部３３を容器本体１１の嵌合壁１７に嵌合させておくことで、容器３０の上にさらに別のものを置くこともできるが、図４に破線で示すように、吊下げ部３３を引き起こすことで、冷蔵庫の側壁等に設けられたフック等に吊下げ部３３を引っ掛けて容器３０を吊り下げることができ、冷蔵庫等の収納部のデットスペースを有効に活用することができるとともに、容器３０の取り出しも楽である。
【００２８】
また、蓋体１２を容器本体１１から取り外す際には、吊下げ部３３をそのまま摘みとして利用することができ、従来、滑り易く難しかった蓋体の取り外し作業を、指掛かりとなる吊下げ部（摘み）３３によって容易に行うことができる。また、吊下げ部３３を蓋体１２の射出成型時に一緒に成形することで、吊下げ部３３に十分な厚み、つまり剛性を付与することができるので、図５に示すように、引き起こされた吊下げ部３３を蓋体１２を自立させるスタンドとして用いることができ、蓋体１２の下面に内容物が付着している場合でもテーブル等を汚す心配がない。
【００２９】
次いで、本発明に従うさらに他の実施形態の容器について図６を参照して説明する。なお、容器本体および蓋体の基本的な構造は先の実施形態のものと同じであるため、同一の符号を付し詳細な説明は省略する。
【００３０】
図６（ａ）に示すように、本実施形態の容器４０では、蓋体１２の外面（天板２１上面）にインモールドラベル４１が被設され、該インモールドラベル４１の一部によって略Ｃ字薄帯状の吊下げ部４３が形成されている。吊下げ部４３の両端部（ヒンジ）４３ａ、４３ｂはインモールドラベル４１の他の部分に一体的に繋がり、支持されている。
【００３１】
このような吊下げ部４３は、図６（ｂ）に示すように、蓋体１２に外装されるラベル４１に吊下げ部４３の輪郭に沿った切り込み４４またはミシン目を予め形成するとともに、該ラベル４１の下面に吊下げ部４３となる部分を除いて接着剤層４５を形成し、これをインサート材として金型キャビティの金型面に吸着セットし、金型キャビティ内に溶融樹脂を射出、充填することにより、蓋体１２を成形すると同時にラベル４１を貼着することで製作することができる。インモールドラベル４１からなる吊下げ部４３は、天板２１の外面には接着されていないため天板２１から引き剥がすことができるが、両端部（ヒンジ）４３ａ、４３ｂにおいてインモールドラベル４１の他の部分に繋がっているため蓋体１２に保持されている。
【００３２】
インモールドラベル４１の材料としては特に限定はなく、ポリエチレンフィルムやポリプロピレンフィルム、ポリスチレンフィルム、ポリ塩化ビニル等の合成樹脂フィルムを用いることができる。
【００３３】
本実施形態の容器４０によれば、容器４０を冷蔵庫等に収納する場合、吊下げ部４３がインモールドラベル４１の一部によって形成されて蓋体１２の外面はフラットであり、容器４０の上にさらに別のものを置くこともできるが、図６（ａ）に示すように、吊下げ部４３を引き上げることで、冷蔵庫の側壁等に設けられたフック等に吊下げ部４３を引っ掛けて容器４０を吊り下げることができ、冷蔵庫等の収納部のデットスペースを有効に活用することができるとともに、容器４０の取り出しも楽である。
【００３４】
また、蓋体１２を容器本体１１から取り外す際には、吊下げ部４３をそのまま摘みとして利用することができ、従来、滑り易く難しかった蓋体の取り外し作業を、指掛かりとなる吊下げ部（摘み）４３によって容易に行うことができる。さらに、吊下げ部４３を肉厚に形成することで、引き起こされた吊下げ部４３を蓋体１２を自立させるスタンドとして用いることができ、蓋体１２の下面に内容物が付着している場合でもテーブル等を汚す心配がない。
【００３５】
図７は、本発明に従うさらに他の実施形態の容器を示している。容器本体および蓋体の基本的な構造は先の実施形態のものと同じであるため、同一の符号を付し詳細な説明は省略する。
【００３６】
図７（ａ）に示すように、本実施形態の容器５０は、蓋体１２の天板２１の一部によって略Ｃ字帯状の吊下げ部５３が形成されている。吊下げ部５３はその両端部においてヒンジ５４、５５を介して天板２１に一体的に繋がり、支持されている。吊下げ部５３と天板２１との間にはヒンジ５４、５５の箇所を除いて吊下げ部５３の輪郭を形成するスリット５６、５７（図７（ｂ））が形成されていて、吊下げ部５３は天板２１から分離されるとともにヒンジ５４、５５を介して揺動（引き起こしおよび傾倒）可能である。吊下げ部５３の傾倒姿勢では、吊下げ部５３の上面は天板２１の上面と面一である。
【００３７】
また、図７（ｂ）および図８に示すように、蓋体１２の裏面（内面）には、吊下げ部５３およびスリット５６、５７を囲むようにインモールドラベル５８が貼着されており、容器５０の内部は密封されている。インモールドラベル５８の周縁上面（天板２１の裏面と向き合う面）には接着剤層５９が形成され天板２１裏面に接着されているが、インモールドラベル５８の、吊下げ部５３に対向する上面部分には接着剤層５９は形成されていないため、吊下げ部５３はインモールドラベル５８から剥離可能である。インモールドラベル５８の材料としては特に限定はなく、ポリエチレンフィルムやポリプロピレンフィルム、ポリスチレンフィルム、ポリ塩化ビニル等の合成樹脂フィルムを用いることができる。
【００３８】
本実施形態の容器５０によれば、吊下げ部５３は天板２１の一部によって形成されていて天板２１上面はフラットであるため、容器５０を冷蔵庫等に収納する場合、吊下げ部５３を傾倒させることで、容器５０の上に別のものを置くこともできるが、図７（ａ）に示すように、吊下げ部５３を引き起こすことで、冷蔵庫の側壁等に設けられたフック等に吊下げ部５３を引っ掛けて容器５０を吊り下げることができ、冷蔵庫等の収納部のデットスペースを有効に活用することができるとともに、容器５０の取り出しも楽である。
【００３９】
また、蓋体１２を容器本体１１から取り外す際には、吊下げ部５３をそのまま摘みとして利用することができ、従来、滑り易く難しかった蓋体の取り外し作業を、指掛かりとなる吊下げ部（摘み）５３によって容易に行うことができる。また、吊下げ部５３は蓋体１２の射出成型時に一緒に成形されるため、吊下げ部５３に十分な厚み、つまり剛性を付与することができるので、引き起こされた吊下げ部５３を蓋体１２を自立させるスタンド（図示は省略するが、図３や図５と同様に使用することができる）として用いることができ、蓋体１２の下面に内容物が付着している場合でもテーブル等を汚す心配がない。
【００４０】
さらに、蓋体１２の裏面の、吊下げ部５３が形成された箇所を囲むようにインモールドラベル５８が被設されているため、容器５０内を密封することができる。
【００４１】
図９は、本発明に従うさらに他の実施形態の容器を示している。容器本体および蓋体の基本的な構造は先の実施形態のものと同じであるため、同一の符号を付し詳細な説明は省略する。
【００４２】
本実施形態の容器７０では、吊下げ部７３は容器本体１１の周壁部１４の短辺側部分に設けられている。吊下げ部７３は略Ｕ字形であり、その両端部においてヒンジ７４、７５を介して容器本体１１の周壁部１４下端または底壁部１３に一体に連結されている。吊下げ部７３はその傾倒姿勢において周壁部１４に設けられた対応するＵ字形の凹部７６内に収められ、周壁部１４の外面に対して面一となる。また、この状態において吊下げ部７３は、Ｕ字形の凹部７６の内側で突出する、係合部としての嵌合凸部７７に嵌合して当該傾倒姿勢は維持される。
【００４３】
本例では、図１に示した例と同様に吊下げ部７３は周壁部１４に設けられた対応するＵ字形の凹部７６および嵌合凸部７７とともに容器本体１１の射出成型時に同時に成形されるが、これに限らず、図６で示した例に倣って、容器本体１１の周壁部１４外面にインモールドラベルを被着し、このインモールドラベルの一部によって吊下げ部７３を形成してもよい。あるいは、図７および図８で示した例に倣って、吊下げ部７３を容器本体１１の周壁部１４の一部によって形成するとともに、吊下げ部７３の形成に伴い周壁部１４に形成された開口を裏側からインモールドラベルでシールするようにしてもよい。
【００４４】
本実施形態の容器７０によれば、冷蔵庫の側壁等に設けられたフック等に吊下げ部７３を引っ掛けて容器７０を吊り下げることができ、冷蔵庫等の収納部のデットスペースを有効に活用することができるとともに、容器７０の取り出しも楽である。また、吊下げ部７３は容器本体１１に設けられているため、蓋体１２の装飾可能な部位が限定されることもない。また、蓋体１２を取り外す際には、容器本体１１の吊下げ部７３を押えとして使用することで、蓋体１２の取り外し作業を安定して行うことができる。
【００４５】
図１０は、本発明に従うさらに他の実施形態の容器を示している。容器本体および蓋体の基本的な構造は先の実施形態のものと同じであるため、同一の符号を付し詳細な説明は省略する。
【００４６】
図１０に示すように、本実施形態の容器８０では、第１の吊下げ部８３Ａは容器本体１１の周壁部１４の短辺側部分に設けられている。第１の吊下げ部８３Ａは略Ｕ字形であり、その両端部においてヒンジ８４、８５を介して容器本体１１の周壁部１４の上端部に一体に連結されている。第１の吊下げ部８３Ａはその傾倒姿勢において周壁部１４に設けられた対応するＵ字形の凹部８６内に収められ、周壁部１４の外面に対して面一となる。また、この状態において第１の吊下げ部８３Ａは、Ｕ字形の凹部８６の内側で突出する、係合部としての嵌合凸部８７に嵌合して当該傾倒姿勢は維持される。
【００４７】
本例では、第１の吊下げ部８３Ａは、図１に示した例と同様に周壁部１４に設けられた対応するＵ字形の凹部８６および嵌合凸部８７とともに容器本体１１の射出成型時に同時に成形されるが、これに限らず、図６で示した例に倣って、容器本体１１の周壁部１４外面にインモールドラベルを被着し、このインモールドラベルの一部によって第１の吊下げ部８３Ａを形成してもよい。あるいは、図７および図８で示した例に倣って、第１の吊下げ部８３Ａを容器本体１１の周壁部１４の一部によって形成するとともに、第１の吊下げ部８３Ａの形成に伴い周壁部１４に形成される開口を裏側からインモールドラベルでシールするようにしてもよい。
【００４８】
また、本例では、図１０に示すように、蓋体１２側にも第２の吊下げ部８３Ｂが設けられている。第２の吊下げ部８３Ｂは天板２１周縁の手前から垂下壁２２に跨るように略Ｕ字形に形成されていて、両端のヒンジ９１、９２を介して蓋体１２に一体に連結されている。
【００４９】
本例では、図１に示した例と同様に第２の吊下げ部８３Ｂは蓋体１２に設けられた対応するＵ字形の凹部９３および嵌合凸部９４とともに蓋体１２の射出成型時に同時に成形されるが、これに限らず、図６で示した例のように、蓋体１２の外面にインモールドラベルを被着し、このインモールドラベルの一部によって第２の吊下げ部８３Ｂを形成してもよい。あるいは、図７および図８で示した例のように、第２の吊下げ部８３Ｂを蓋体１２の一部によって形成するとともに、第２の吊下げ部８３Ｂの形成に伴い天板２１および垂下壁２２に形成される開口を裏側からインモールドラベルでシールするようにしてもよい。
【００５０】
本実施形態の容器８０によれば、冷蔵庫の側壁等に設けられたフック等に第１および第２の吊下げ部８３Ａ、８３Ｂを引っ掛けて容器８０を吊り下げることができ、冷蔵庫のデットスペースを有効に活用することができるとともに、容器８０の取り出しも楽である。また、容器本体および蓋体の双方に吊下げ部８３Ａ、８３Ｂが設けられているため、重量の重い内容物を収納した容器８０も確実に吊り下げ収納することができる。また、蓋体１２を容器本体１１から取り外す際には、第２の吊下げ部８３Ｂをそのまま摘みとして利用することができ、従来、滑り易く難しかった蓋体の取り外し作業を、指掛かりとなる吊下げ部（摘み）８３Ｂによって容易に行うことができる。この際、容器本体１１における第１の吊下げ部８３Ａは押えとして使用することで蓋体１２の取り外し作業を安定して行うことができる。さらに、蓋体１２における第２の吊下げ部８３Ｂを蓋体１２を自立させるスタンドとして用いることもでき、蓋体１２の下面に内容物が付着している場合でもテーブル等を汚す心配がない。
【００５１】
以上、図示例に基づき本発明を説明したが、本発明は上述の実施形態のものに限定されず、特許請求の範囲の記載内で適宜変更、修正が可能である。例えば、上記実施形態では、吊下げ部は、容器の短辺側に設けられているが、長辺側に設けてもよく、あるいは短辺側および長辺側の両方にそれぞれ吊下げ部を設けるようにしてもよい。
【産業上の利用可能性】
【００５２】
かくして本発明により、収納部のデットスペースを有効活用できかつ取り出し易い容器を提供することが可能になった。
【符号の説明】
【００５３】
１０、３０、４０、５０、７０、８０  容器
１１  容器本体
１２  蓋体
１３  底壁部
１４  周壁部
１６  鍔部
１７  嵌合壁
２１  天板
２２  垂下壁
２３、３３、４３、５３、７３、８３Ａ、８３Ｂ  吊下げ部
２４、３５、３６、５４、５５、７４、７５、８４、８５、９１、９２  ヒンジ
２５  凹部
２６、７７、８７、９４  嵌合凸部（係合部）
３１  周方向スリット
３２  縦スリット
４１、５８  インモールドラベル
５６、５７  スリット
７６、８６、９３  凹部
Ｍ  収容空間
Ｓ  開口部
【図１】
2017081634.tif 000003
【図２】
2017081634.tif 000004
【図３】
2017081634.tif 000005
【図４】
2017081634.tif 000006
【図５】
2017081634.tif 000007
【図６】
2017081634.tif 000008
【図７】
2017081634.tif 000009
【図８】
2017081634.tif 000010
【図９】
2017081634.tif 000011
【図１０】
2017081634.tif 000012